(57)【要約】【課題】デビットカードによるデビット決済を複数回利用する遊技客に対して、このデビットカードによる利用料が所定回数以上となった場合に徴収する利用料を免除或は減額することにより遊技客の利便性および遊技意欲を向上できるデビット決済による遊技媒体貸出システムを提供する。【解決手段】デビット子機管理装置を設け、このデビット子機管理装置にはプリペイドカードの購入金額に応じて利用料を算定する機能を有するとともに、デビットカードによる利用料が所定回数以上となった場合に徴収する利用料の免除或いは減額をおこなう利用料設定装置を備える。【選択図】　　　図１
2004121317.tif 000002
【特許請求の範囲】
【請求項１】
遊技客による入金額に応じて有価価値の関連付けをおこなった記録媒体を発行する記録媒体処理装置と、デビット決済による取引に基づいた入金を受け付け可能な入金受付手段、デビット決済可能な識別媒体が挿入された場合に、当該識別媒体に関連付けられた情報を取得する識別媒体情報取得手段とを有する単体或いは複数のデビット決済処理装置と、有価価値となる紙幣／硬貨或は有価価値が関連付けられた前記記録媒体を受け入れて遊技媒体の貸し出しをおこなう遊技媒体貸出装置とを備えたデビット決済による遊技媒体貸出システムであって、
前記単体のデビット決済処理装置或いは複数のデビット決済処理装置のうち少なくとも１つのデビット決済処理装置には、前記遊技客が購入する前記記録媒体に関連付けられた有価価値に応じて利用料を算定する機能を有するとともに、前記識別媒体の利用回数に応じて徴収する利用料の免除をおこなう利用料設定装置を備えたことを特徴とするデビット決済による遊技媒体貸出システム。
【請求項２】
前記のデビット決済処理装置により処理されるデビット決済時の識別媒体に関する情報を統括するデビット決済処理管理装置をさらに備え、当該デビット決済処理管理装置に前記利用料設定装置を備えることを特徴とする請求項１に記載のデビット決済による遊技媒体貸出システム。
【請求項３】
前記利用料設定装置は、前記利用料の徴収回数を算定する機能と利用料の免除を開始する任意の回数を設定する機能とをさらに有することを特徴とする請求項１または２に記載のデビット決済による遊技媒体貸出システム。
【請求項４】
前記利用料の徴収回数をＮ回とした場合に、前記利用料の免除を開始する任意の回数はＮ＋１回目として算出されることを特徴とする請求項３に記載のデビット決済による遊技媒体貸出システム。
【請求項５】
前記利用料設定装置により設定される前記利用料の免除期間は、当該利用料の免除開始日を基準として所定の期間内に限定して設定されることを特徴とする請求項１〜４のいずれか一つに記載のデビット決済による遊技媒体貸出システム。
【請求項６】
前記所定の期間は、１日単位或は１週間単位として任意に設定されることを特徴とする請求項５に記載のデビット決済による遊技媒体貸出システム。
【請求項７】
前記利用料設定装置は、前記利用料の徴収回数を算定する機能と前記利用料の徴収回数及び利用回数の増加に応じて当該利用料を減額した利用料を設定する機能を有することを特徴とする請求項１または２に記載のデビット決済による遊技媒体貸出システム。
【請求項８】
前記利用料設定装置により設定される前記利用料の減額期間は、当該利用料の減額開始日を基準として所定の期間内に限定して設定されることを特徴とする請求項７に記載のデビット決済による遊技媒体貸出システム。
【請求項９】
前記利用料設定装置は、前記識別媒体に予め関連付けられた識別番号に対応してデビット決済による利用回数が格納された利用回数管理テーブルと、前記デビット決済に伴う利用回数に基く利用料が設定された利用料設定テーブルと、前記識別媒体の利用回数をデビット決済時にカウントするとともに更新する利用回数算出手段とを備えたことを特徴とする請求項１〜８のいずれか一つに記載のデビット決済による遊技媒体貸出システム。
【発明の詳細な説明】
【０００１】
【発明の属する技術分野】
本発明は、プリペイドカードに代表される有価価値が関連付けられた磁気カード（記録媒体）の発行をおこなう記録媒体処理装置とプリペイドカードを使用して遊技媒体の貸し出しをおこなう遊技媒体貸出装置と精算装置とを有する遊技媒体貸出システムに関し、特に、デビット決済による入金に基づいて遊技媒体の貸し出しをおこなうデビット決済による遊技媒体貸出システムに関する。
【０００２】
【従来の技術】
現在、パチンコ機やパチスロ機等の遊技機を設置した遊技店で遊技を行う場合には、カード発行機から一旦記録媒体、例えばプリペイドカードを購入し、このプリペイドカードに付与された有価価値に応じてパチンコ玉やメダル等の遊技媒体を借り受ける方法が主流である。
【０００３】
こうした遊技システムにおいては、プリペイドカードに金額または金額に相当する有価価値そのものを磁気記録するタイプのものと、遊技店の管理装置が記憶した有価価値を検索するための識別情報のみを磁気記録するタイプのものとがある。前者の場合には、例えば遊技機の相互間に設置した遊技媒体貸出装置（以下、『カード処理ユニット』とする。）にプリペイドカードを挿入すれば、該プリペイドカードを読み取ることで直接有価価値を取得することができる。一方、後者の場合には、カード処理ユニットが読み取った識別情報に基づいて管理装置から有価価値を取得することができるため、いずれにおいてもプリペイドカードに付与された有価価値を上限とした遊技媒体の貸し出しを行うことが可能となる。
【０００４】
遊技媒体を貸し出した場合には、当該貸し出した遊技媒体に相当する額が有価価値から差し引かれることになる。すなわち、有価価値そのものを磁気記録したプリペイドカードを適用する遊技システムでは、プリペイドカードの有価価値が遊技媒体の貸し出しに応じて減算更新される。一方、識別情報のみを磁気記録したプリペイドカードを適用する遊技システムでは、カード処理ユニットから遊技媒体の貸し出し情報が識別情報と共に管理コンピュータに送信された後、該識別情報に基づいて検索された有価価値が遊技媒体の貸し出しに応じて減算更新され、この減算更新結果が新たな有価価値としてプリペイドカードの識別情報と共に記憶部に記憶されることになる。
【０００５】
さらに近年では、一般の商品を購入する場合や各種サービスに対して代金を支払う場合の方法として、現金やクレジットカードによるものの他、デビットカード（銀行や郵便貯金のキャッシュカード）によるものがある。このデビットカードの場合、クレジットカードによるものと同様に、現金を持ち歩く必要がないなどのメリットがある。
【０００６】
また、クレジットカードと比較した場合には、手持ちのキャッシュカードが利用できるため新たな申し込みの必要がなく年会費や審査も不要であるうえ、利用時点で利用客の銀行口座とデビットカード取扱店舗の銀行口座との間で決済が実施されるため「借り」とはならず安心して商品を購入したりサービスを受けることができる、等々のメリットもある。
【０００７】
このため、遊技店においても従来は遊技媒体の貸し出しを現金によりおこなっていたが、デビットカードによるデビット決済の普及により、このデビットカードの利用による即時決済が多用されている。具体的には、このデビット決済による遊技媒体貸出システムにおいては、デビットカードを使用して遊技客の口座から有価価値が関連付けられた記録媒体（プリペイドカード）と相当額（同額）の引き落としをおこない、この記録媒体を利用して遊技媒体（パチンコ玉、メダル）を借り受けて遊技をおこなうものである。このようなデビット決済に関する従来例としては、デビット決済時に手数料の変更をおこなうなどの制御をする技術（特許文献１参照）等がある。
【０００８】
【特許文献１】
特開２００１−１９５４２１号公報
【０００９】
【発明が解決しようとする課題】
ところが、従来のデビット決済による遊技媒体貸出システムの場合には、以下のような問題がある。すなわち、上述したデビットカードによって支払を行った場合には、利用客の銀行口座とデビットカード取扱店舗の銀行口座との間に介在する仲介機関、例えばクリアリングセンタや情報処理センタ等に対して、その都度手数料を支払う必要がある。この手数料に関しては、その一部或いは全部を遊技客が支払う場合が多く、遊技客は、デビットカードの利用時には、その都度遊技店に対して所定の利用料を支払うことになる。
【００１０】
すなわち、上述したデビット決済は商品売買においては、顧客による購入目的の商品が明確なため、利用料があっても１回のデビット決済で完了することができる。これに対して、遊技店において遊技客の目的とするものは、遊技にて大当たりを獲得することであり、この大当たりを獲得するまでの遊技に費やす金額を予測することはできない。つまり、５千円の投入で大当たりを獲得する場合がある反面、１万円を投入しても大当たりを獲得することができない場合もある。そして、遊技客としては、少ない投資で大当たりを獲得したいという目的があるためプリペイドカードを購入する際には、比較的購入金額が少なくて済むプリペイドカード（例えば、３千円のカード）をその都度購入する傾向が高い。
【００１１】
このため、一万円を投入しても大当たりを獲得できない場合では、３千円のプリペイドカードを購入するデビット決済を少なくとも４回以上おこなっている。つまり、従来のデビット決済では、前述したように１回のデビット決済毎に所定の利用料を徴収するようになっていいるため、デビットカードを使用するデビット決済の度に利用料が徴収されるため、デビットカードの利用にともなって遊技客の負担額が大きくなるという問題がある。さらに、このようなデビットカードを頻繁に利用する遊技客に対する遊技店からのサービス形態が従来ではないという問題がある。このサービス形態の一環として、遊技店が遊技客の利用料を全て負担した場合には、不利益が増大するため好ましくない。
【００１２】
この発明は、上述した従来技術による問題を解決するためになされたもので、同じ遊技店においてデビットカードによるデビット決済を複数回利用する遊技客に対して徴収する利用料を免除或は減額することにより遊技客の利便性および遊技意欲を向上できるデビット決済による遊技媒体貸出システムを提供することを目的とする。
【００１３】
【課題を解決するための手段】
請求項１に記載の発明は、遊技客による入金額に応じて有価価値の関連付けをおこなった記録媒体を発行する記録媒体処理装置と、デビット決済による取引に基づいた入金を受け付け可能な入金受付手段、デビット決済可能な識別媒体が挿入された場合に、当該識別媒体に関連付けられた情報を取得する識別媒体情報取得手段とを有する単体或いは複数のデビット決済処理装置と、有価価値となる紙幣／硬貨或は有価価値が関連付けられた前記記録媒体を受け入れて遊技媒体の貸し出しをおこなう遊技媒体貸出装置とを備えたデビット決済による遊技媒体貸出システムであって、前記単体のデビット決済処理装置或いは複数のデビット決済処理装置のうち少なくとも１つのデビット決済処理装置には、前記遊技客が購入する前記記録媒体に関連付けられた有価価値に応じて利用料を算定する機能を有するとともに、前記識別媒体の利用回数に応じて徴収する利用料の免除をおこなう利用料設定装置を備えたことを特徴とする。
【００１４】
請求項２に記載の発明は、請求項１に記載の発明において、前記デビット決済処理装置により処理されるデビット決済時の識別媒体に関する情報を統括するデビット決済処理管理装置をさらに備え、当該デビット決済処理管理装置に前記利用料設定装置を備えることを特徴とする。
【００１５】
請求項３に記載の発明は、請求項１または２に記載の発明において、前記利用料設定装置は、前記利用料の徴収回数を算定する機能と利用料の免除を開始する任意の回数を設定する機能とをさらに有することを特徴とするデビット決済による遊技媒体貸出システム。
【００１６】
請求項４に記載の発明は、請求項３に記載の発明において、前記利用料の徴収回数をＮ回とした場合に、前記利用料の免除を開始する任意の回数はＮ＋１回目として算出されることを特徴とする。
【００１７】
請求項５に記載の発明は、請求項１〜４のいずれか一つに記載の発明において、前記利用料設定装置により設定される前記利用料の免除期間は、当該利用料の免除開始日を基準として所定の期間内に限定して設定されることを特徴とする。
【００１８】
請求項６に記載の発明は、請求項５に記載の発明において、前記所定の期間は、１日単位或は１週間単位として任意に設定されることを特徴とする。
【００１９】
請求項７に記載の発明は、請求項１または２に記載の発明において、前記利用料設定装置は、前記利用料の徴収回数を算定する機能と前記利用料の徴収回数及び利用回数の増加に応じて当該利用料を減額した利用料を設定する機能を有することを特徴とする。
【００２０】
請求項８に記載の発明は、請求項７に記載の発明において、前記利用料設定装置により設定される前記利用料の減額期間は、当該利用料の減額開始日を基準として所定の期間内に限定して設定されることを特徴とする。
【００２１】
請求項９に記載の発明は、請求項１〜８のいずれか一つに記載の発明において、前記利用料設定装置は、前記識別媒体に予め関連付けられた識別番号に対応してデビット決済による利用回数が格納された利用回数管理テーブルと、前記デビット決済に伴う利用回数に基く利用料が設定された利用料設定テーブルと、前記識別媒体の利用回数をデビット決済時にカウントするとともに更新する利用回数算出手段とを備えたことを特徴とする。
【００２２】
【発明の実施の形態】
以下に添付図面を参照して、この発明に係るデビット決済による遊技媒体貸出システムの好適な実施の形態を詳細に説明する。なお、以下に示す本実施の形態では、主として本発明をパチンコ遊技に適用した場合を示す。
【００２３】
図１は、本発明の実施の形態１であるデビット決済による遊技媒体貸出システムの概略構成を示すブロック図である。ここで、本実施の形態の特徴は、遊技店においてデビットカードによるデビット決済を複数回利用する遊技客に対して、このデビットカードによる利用回数が所定の利用回数以上となった場合に、利用料の徴収を免除する遊技媒体貸出システムを構築することにある。
【００２４】
なお、ここで例示するパチンコ遊技システムでは、記録媒体としてプリペイドカード、具体的には会員カードＭＣおよび一般カードＢＣを適用する。また、デビットカード（識別媒体）としては、銀行や郵便局などのキャッシュカードを適用する。
【００２５】
会員カードＭＣは、住所や氏名等の会員情報を登録した会員である利用客に対して遊技店が発行する合成樹脂製のカード（ＪＩＳ２）であり、各種情報が磁気記録および印字してある。具体的には、発行店の識別情報や会員コード等の会員識別情報が磁気記録してあるとともに、発行した店コード、会員コード等の情報が印字してあり、記録内容の一部を目視できるようになっている。
【００２６】
これに対して一般カードＢＣは、任意の一般利用客に対して遊技店が都度発行する紙製の磁気カードであり、上述した会員カードＭＣと同様、各種情報が磁気記録および印字してある。具体的には、発行店の識別情報、カード固有の識別コード、発行金額、カード種別等が磁気記録してあるとともに、発行店名、カード固有識別情報（例えば発行機番号＋連番）、発行金額および有効期限等が目視できるように印字してある。これらプリペイドカードとして使用される会員カードＭＣおよび一般カードＢＣは、その材質や板厚および記録内容が相違するものの、縦横の寸法が同一であるとともに、各種情報を磁気記録するための磁気ストライプも同一の位置に設けてある。
【００２７】
また、会員カードＭＣおよび一般カードＢＣには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。一般的には、１度数が１００円に対応し、１度数でパチンコ玉を２５個だけ貸し出すように設定してある。
【００２８】
図１に示すように、本実施の形態のパチンコ遊技システムでは、それぞれ「島」と呼ばれるグループごとに複数のパチンコ機２０およびカード処理ユニット３０が並設してあるとともに、各島にカード発行機４０、カード精算機５０等の記録媒体処理装置が適宜設けてある。また、複数のカード発行機４０に対応して、デビット決済処理をおこなう複数のデビット子機７０が併設されている。これら複数のデビット子機７０同士およびデビット子機７０と情報処理センタ１００１や決済銀行１０３０との通信手段には、ＩＳＤＮ回線を使用する。
【００２９】
これら複数のデビット子機７０は、それぞれの通信手段（第２通信Ｉ／Ｆ部７０５）を介して相互にデータの送受信（共有）が可能となっている。８０は、複数のデビット子機７０それぞれのデータを管理するデビット子機管理装置である。後述するように、複数のデビット子機７０それぞれのデータはデビット子機管理装置８０に送信され、デビット決済を利用する遊技客の利用回数を集計（管理）するデータベースとして機能する。
【００３０】
パチンコ機２０は、パチンコ玉を遊技領域に発射して利用客が遊技を行う部分である。カード処理ユニット３０は、会員カードＭＣや一般カード、ＢＣに関連づけられた残度数を上限とするパチンコ玉の貸し出し処理を主機能とするものである。
【００３１】
カード処理ユニット３０は、遊技店に設置された複数のパチンコ機２０それぞれに対して１台ずつペアとなるように用意され、パチンコ機２０の相互間に挟まれる形で設置してある。カード発行機４０は、プリペイドカードである一般カード、ＢＣの発行処理、並びに一般カードＢＣおよび会員カードＭＣに関連づけられたそれぞれの度数に対する加算処理を主機能とするものであり、遊技店に数台ずつ設置してある。カード精算機５０は、会員カードＭＣや一般カード、ＢＣに関連づけられた度数を現金として払い戻す処理を主機能とするもので、遊技店に数台ずつ設置してある。
【００３２】
これらのパチンコ機２０、カード処理ユニット３０、カード発行機４０およびカード精算機５０は、各島に設けた島コントローラ６０を通じてターミナルコントローラ１０と称される管理装置の制御下にある。ターミナルコントローラ１０は、遊技店に少なくとも１台設置してあり、設置した遊技店の統括管理、例えばカード管理、会員の管理、売上管理等を行うとともに、上述したように、会員カードＭＣおよび一般カードＢＣ個々の有価価値に関する情報を記憶管理する部分である。
【００３３】
図２は、ターミナルコントローラ１０の内部構成を示すブロック図である。ターミナルコントローラ１０のＲＡＭ１１は、度数管理テーブルＤＴ等の各種管理情報を格納する部分である。度数管理テーブルＤＴは、プリペイドカードＭＣ、ＢＣの種別毎に、カードの識別情報と、その度数情報とを対応づけて格納したものである。度数管理テーブルＤＴのカード識別情報とは、会員カードＭＣの場合に会員コードに相当し、一般カードＢＣの場合にそれぞれの固有識別コードに相当する。
【００３４】
度数管理テーブルＤＴに格納されたそれぞれの度数情報は、通信Ｉ／Ｆ部１２を通じて読み出し要求があった場合にはＣＰＵ１３によって、その都度ＲＡＭ１１から読み出される一方、減算更新要求や加算更新要求があった場合にはＣＰＵ１３によって適宜更新されることになる。ＣＰＵ１３は、ＲＯＭ１４に格納されたプログラムに基づいて上述した各種処理を実現するための部分である。なお、図中の符号１５は、上述した各種管理情報を表示するための表示部、また符号１６は、オペレータが設定を行う際に操作する入出力部である。
【００３５】
図３は、本実施の形態で適用するパチンコ機２０およびカード処理ユニット３０の外観を示した正面図、図４は、カード処理ユニット３０の内部構成を示すブロック図である。以下、これらの図を参照しながら、パチンコ機２０およびカード処理ユニット３０について説明する。
【００３６】
カード処理ユニット３０は、外見上縦長に構成したもので、その前面パネルに、カードランプ３１ａ、現金ランプ３１ｂ、紙幣投入口３２、硬貨投入口３３、返却レバー３４、種別ランプ３５、金額表示部３６、金額設定スイッチ３７ａ、端数設定スイッチ３７ｂ、硬貨返却口３８およびカード挿入口３９を有している。
【００３７】
カードランプ３１ａおよび現金ランプ３１ｂは、貸出制御部３００からの制御信号に基づいて点灯し、プリペイドカードＭＣ、ＢＣおよび現金の受け付け可能状態を利用客に報知するためのものである。紙幣投入口３２は、紙幣を受け入れてこれをＢＶ（ビルバリ）ユニット部３０１に取り込むための開口である。ＢＶユニット部３０１は、取り込まれた紙幣の金種を識別し、この識別結果を貸出制御部３００に与えるとともに、取り込んだ紙幣を島端回収ボックスに搬出させるべく紙幣搬送路３０２へ導出する部分である。硬貨投入口３３は、硬貨を受け入れてこれをコインセレクタ部３０３に取り込むための開口である。
【００３８】
コインセレクタ部３０３は、取り込んだ硬貨の金種を識別し、この識別結果を貸出制御部３００に与えるとともに、取り込んだ硬貨を島端回収ボックスに搬出させるべく硬貨搬送路３０４へ導出する部分である。返却レバー３４は、投入した貨幣を返却するためのものである。この返却レバー３４が操作された場合、返却紙幣はそのまま紙幣投入口３２から利用客に返却される一方、返却硬貨は硬貨返却口３８から利用客に返却される。種別ランプ３５は、貸し出す遊技媒体の種類、つまりパチンコ玉およびメダルのいずれを貸し出すかを点灯表示するためのものである。
【００３９】
金額設定スイッチ３７ａは、後述するパチンコ機２０の貸出スイッチ２４を１回操作する毎に貸し出されるパチンコ玉の金額（貸し出し単位）を利用客が設定するためのものである。カード挿入口３９は、プリペイドカードＭＣ、ＢＣを受け入れてこれをプリペイドカード処理部３０５に取り込むための開口である。プリペイドカード処理部３０５は、取り込んだプリペイドカードＭＣ、ＢＣの記録情報を読み取り、その読み取り結果を貸出制御部３００に与える処理を行う部分である。
【００４０】
一方、遊技機であるパチンコ機２０には、遊技領域２１の下方に設けた上皿２２に度数表示部２３、貸出スイッチ２４および返却スイッチ２５を設けてある。度数表示部２３は、カード処理ユニット３０のプリペイドカード処理部３０５にプリペイドカードＭＣ、ＢＣが取り込まれた場合、このプリペイドカードＭＣ、ＢＣに関連づけられた残度数を数値表示するための部分である。
【００４１】
貸出スイッチ２４は、パチンコ玉を借り受ける際に利用客がＯＮ操作するスイッチである。返却スイッチ２５は、ＯＮ操作した場合に、プリペイドカード処理部３０５に取り込まれたプリペイドカードＭＣ、ＢＣを利用客に返却するスイッチである。これら貸出スイッチ２４および返却スイッチ２５のＯＮ操作検出信号は、それぞれカード処理ユニット３０の貸出制御部３００に与えられることになる。また、上記パチンコ機２０には、その内部に玉投出手段２６が設けてある。
【００４２】
玉投出手段２６は、カード処理ユニット３０の貸出制御部３００から打球投出要求が与えられた場合、並びにパチンコ機２０の図示せぬ制御手段から賞球投出要求が与えられた場合に、それぞれパチンコ機２０の上皿２２に所定数のパチンコ玉を投出する部分である。
【００４３】
上記のように構成したカード処理ユニット３０では、まず、貸出待機状態においてカード挿入口３９にプリペイドカードＭＣ、ＢＣが挿入されると、貸出制御部３００は、プリペイドカード処理部３０５を通じて当該プリペイドカードＭＣ、ＢＣに磁気記録されたカード識別情報を読み取り、このカード識別情報を含めてターミナルコントローラ１０に残度数の問い合わせを行った後、回答の受信待機状態となる。この間、カード処理ユニット３０からの問い合わせを受信したターミナルコントローラ１０では、カード識別情報に基づいてＲＡＭ１１の度数管理テーブルＤＴから対応するプリペイドカードＭＣ、ＢＣの残度数を読み出し、これをカード処理ユニット３０に転送する。
【００４４】
ターミナルコントローラ１０から残度数を受信した貸出制御部３００は、これをメモリ３０６に格納するとともに、パチンコ機２０の度数表示部２３を通じてその表示を行った後、操作待機状態となる。操作待機状態において貸出スイッチ２４がＯＮ操作されると、金額設定スイッチ３７ａで設定された金額分のパチンコ玉を投出すべく、パチンコ機２０の玉投出手段２６に対して打球投出要求を与える。その後、メモリ３０６に格納した残度数を設定金額に応じて減算更新するとともに、カード識別情報を含めてターミナルコントローラ１０に、設定金額に応じた残度数の減算更新要求を行う。
【００４５】
一方、上記操作待機状態において紙幣もしくは硬貨が投入されると、コインセレクタ部３０３、あるいはＢＶユニット部３０１を通じてその入金額を取得し、メモリ３０６に格納した残度数を入金額に応じて加算更新するとともに、カード識別情報を含めてターミナルコントローラ１０に、入金額に応じた残度数の加算更新要求を行う。
【００４６】
以下、上述した動作が繰り返し行われることにより、プリペイドカードＭＣ、ＢＣに関連づけられた残度数を上限とするパチンコ玉の貸し出しが行われ、当該パチンコ玉によって利用客のパチンコ遊技が可能になる。これらの処理の間においても、返却スイッチ２５をＯＮ操作すれば、それぞれの処理が中断され、プリペイドカードＭＣ、ＢＣや貨幣が利用客に返却されることになる。
【００４７】
次に、カード発行機４０およびこれに付設されるデビット子機７０について説明する。図５は、本実施の形態で適用するカード発行機４０およびデビット子機７０の外観を示した正面図、図６は、これらカード発行機４０およびデビット子機７０の内部構成を示すブロック図である。図７は、本発明の特徴であるデビット子機管理装置８０に設けられた利用料設定装置８５の内部構成図である。以下、図５〜図７を参照してカード発行機４０およびデビット子機７０の詳細について説明する。
【００４８】
すなわち、図５に示すように、カード発行機４０およびデビット子機７０は、それぞれ個別の筐体４１，７１に別々のユニットとして設けており、カード発行機４０の筐体４１およびデビット子機７０の筐体７１は、それぞれの前面に開閉可能な扉体４２，７２を備えて構成してある。各扉体４２，７２は、筐体４１，７１との間に主錠手段４３，７３が設けてあり、閉成した状態で施錠することが可能である。
【００４９】
カード発行機４０は、筐体４１の前面に設けた扉体４２に会員カード挿入／返却口４４、一般カード発行口４５、紙幣挿入／返却口４６、選択スイッチ４７、取消スイッチ４８、表示部４９およびハンディ収容凹部４２ａを備えている。
【００５０】
会員カード挿入／返却口４４は、会員カードＭＣを受け入れてこれを会員カード処理部４０１に取り込む一方、会員カード処理部４０１において所望の処理を施した後の会員カードＭＣを返却するための開口である。会員カード処理部４０１は、取り込んだ会員カードＭＣに磁気記録されている会員識別情報を読み取り、その読み取り結果を後述の発行制御部４０２に与える部分である。
【００５１】
一般カード発行口４５は、一般カード処理部４０３で発行処理した一般カードＢＣを排出するための開口である。一般カード処理部４０３は、例えば、予め装填されたロール紙（図示せず）を適宜切断・印字・データ処理し、これを一般カードＢＣとして発行する部分である。紙幣挿入／返却口４６は、紙幣を受け入れてこれを紙幣処理部４０４に取り込む部分である。
【００５２】
紙幣処理部４０４は、取り込まれた紙幣の金種を識別してその識別結果を後述の発行制御部４０２に与えるとともに、識別可能な紙幣を金種別に分類して紙幣回収箱４０５に収納する一方、識別不能な紙幣を返却するための部分である。選択スイッチ４７および取消スイッチ４８は、それぞれ外部操作入力部として設けたもので、利用客によってＯＮ操作された場合に個別の検出信号を後述の発行制御部４０２に与える部分である。
【００５３】
表示部４９は、後述の発行制御部４０２から与えられた入力ガイダンス等の各種情報を表示するための部分であり、例えば液晶表示器によって構成してある。ハンディ収容凹部４２ａは、補助扉体４２ｂによって開閉可能、かつ扉体４２の主錠手段４３とは別個の補助錠手段４２ｃによって施錠可能な凹所である。この補助錠手段４２ｃには、施錠状態にあるか否かを検出するとともに、その検出結果を常時発行制御部４０２に与える施錠検出センサ４０６を設けてある。
【００５４】
上記ハンディ収容凹部４２ａには、ハンディ端末入力機４０７を収容してある。ハンディ端末入力機４０７は、各種機能スイッチやテンキースイッチを備えて構成したもので、内部操作入力部として機能する。このハンディ端末入力機４０７の各種機能スイッチやテンキースイッチがＯＮ操作された場合には、上述した選択スイッチ４７や取消スイッチ４８と同様に、それぞれ個別の検出信号が後述の発行制御部４０２に与えられることになる。
【００５５】
発行制御部４０２は、予め与えられたプログラムや会員カード処理部４０１、紙幣処理部４０４、選択スイッチ４７、取消スイッチ４８、施錠検出センサ４０６およびハンディ端末入力機４０７から与えられた情報に基づいて各部の制御を行うための部分である。
【００５６】
この発行制御部４０２は、第１通信Ｉ／Ｆ部４０８および第２通信Ｉ／Ｆ部４０９を通じて外部と適宜情報交換することが可能である。具体的には、第１通信Ｉ／Ｆ部４０８は、島コントローラ６０を介してターミナルコントローラ１０に接続してある一方、第２通信Ｉ／Ｆ部４０９は、デビット子機７０の第１通信Ｉ／Ｆ部を介してデビット制御部７０２に接続してある。
【００５７】
発行制御部４０２は、施錠検出センサ４０６からの検出信号を通じて補助扉体４２ｂが開放状態にあるか否かを判断する機能を有している。遊技店の係員によって補助錠手段４２ｃが開錠され、補助扉体４２ｂが開放状態であると判断した場合には、メンテナンスモードとなり、メンテナンス処理を実行することができる。
【００５８】
一方、補助錠手段４２ｃの施錠によりハンディ収容凹部４２ａに収納したハンディ端末入力機４０７を操作することができない場合には、通常の販売待機モードとなり、カード加算処理およびカード発行処理を順次実行する。以上のように、上記カード発行機４０においては、補助扉体４２ｂの開閉に応じて販売待機モードとメンテナンスモードとが切り替わるようになっている。
【００５９】
次に、デビット子機７０について説明する。すなわち、デビット子機７０は、筐体７１の前面に設けた扉体７２にデビットカード挿入／返却口７４、レシート排出口７５、表示部７６および外部操作入力部７７を備えているとともに、扉体７２を開成した場合に露出する部分に内部操作入力部７８を備えている。
【００６０】
ここで、前述したように本実施の形態の特徴は、遊技店においてデビットカードによるデビット決済を複数回利用する遊技客に対して、このデビットカードによる利用回数が所定の利用回数以上となった場合に、利用料の徴収を免除することにある。このため、デビット子機管理装置８０には、利用料設定装置８５が設けられている。
【００６１】
利用料設定装置８５は、遊技客が購入するプリペイドカードに関連付けられた購入金額（有価価値）に応じて遊技客から徴収する利用料を算定する機能と、利用料の徴収回数及び利用料の免除を開始する任意の回数とを設定する機能とを有している。
【００６２】
図７は、この利用料設定装置８５の構成を示すブロック図である。すなわち、図７に示すように利用料設定装置８５は、利用料設定テーブル８６、利用回数管理テーブル８７、利用回数算出手段８８とを備えている。
【００６３】
利用料設定テーブル８６は、デビットカードの利用回数に基づいて遊技客に対して徴収する利用料及び利用料の免除を開始する任意の回数が設定され格納されている。利用回数管理テーブル８７は、デビットカードに対して予め関連付けられた口座番号（識別番号）に対応して遊技客によるデビット決済による利用回数が格納されている。利用回数算出手段８８は、デビットカードの利用回数をデビット決済時にその都度算出する機能を備えている。
【００６４】
この利用回数算出手段８８により算出された遊技客個人のデビットカードの利用回数は、前記利用料設定テーブル８６にその都度格納されるものとなる。この利用回数算出手段８８は、デビットカードが挿入されると、挿入されたデビットカードの口座番号と利用回数管理テーブル８７に格納された口座番号とを照合し、同一の口座番号については利用回数を更新し、最終的な利用料を算出する。
【００６５】
８９は、複数のデビット子機７０との間で相互に通信をおこなうための通信Ｉ／Ｆ部である。実際には、複数のデビット子機７０に備えた第２通信Ｉ／Ｆ部７０５（図６）から、デビット子機７０にアクセスされたデビットカードの情報が通信Ｉ／Ｆ部８９を介してデビット子機管理装置８０に送信される。
【００６６】
図８は、利用料設定テーブル８６ａの構成を示す図表である（実施の形態１）。図８に示すように、利用回数管理テーブル８６ａは、「プリペイドカードの購入金額範囲」（０〜１００００円）、プリペイドカードの購入金額に基づいた「利用料」、遊技客から利用料を徴収する「徴収回数」、「利用料の免除開始回」からなる４つのフィールドを有している。また、本例では利用料の免除期間は一週間以内に限定して設定されている。具体的に説明すると、例えば、デビットカードを使用して遊技客が３０００円のプリペイドカードを購入した場合、デビット決済による利用料は１００円となり、この１００円の利用料はデビット決済が５回（徴収回数）までは、その都度徴収がおこなわれるものとなる。
【００６７】
因みに、１００００円など高額のプリペイドカードの購入時には、利用料は３００円と比較的高くなるが、その徴収回数は１回のみとなる。また、２回目からのデビット決済時には、その利用料は即時免除対象となる。ここで、利用料の徴収回数をＮ回とした場合に、前記利用料の免除を開始する任意の回数はＮ＋１回目として算出することができる。
【００６８】
そして、本発明によるとデビットカードによる利用回数が所定の利用回数以上となった場合に、利用料の徴収を免除する「利用料の免除開始回」が設定されており、この例では、利用料設定テーブル８６ａに示すように６回目以降のデビット決済時には、遊技客に対する利用料の徴収は免除されるものとなる（利用料０円）。この利用料は、遊技店が負担する費用となる。このように、デビットカードによる利用回数が所定回数以上となった遊技客に対して徴収する利用料を免除することができることから、遊技客に対する利用料の低減（負担減）が可能となるうえ、遊技客の利便性および遊技意欲を向上させることができる。また、遊技店から遊技客に対してデビット決済時におけるサービスの提供を利用料の免除或いは減額という形態でおこなう。
【００６９】
ここで、前述したように利用料の免除期間は一週間と選定されているため、遊技客が最初にデビットカードを使用した日から一週間以内に６回のデビットカードの使用があることが条件となる。そして、本例ではこの限定された一週間の間で、デビットカードの使用による６回目のデビット取引がない場合には、遊技客の利用回数は、初期値の０にインクリメントされる。なお、本例では、利用料の免除期間を一週間としているが、この免除期間は固定ではなく所定の期間として設定でき、１日単位に設定することもできる。そして、このように利用料の免除期間を制限して設定することにより、メモリとして使用される利用回数管理テーブル８６などに保存するメモリ容量を軽減することができる。
【００７０】
また、遊技店内には、複数のデビット子機７０が設けられているため、複数のデビット子機７０のそれぞれは第２通信Ｉ／Ｆ部７０５を介して各自が保有するデビットカードに関するデータを相互に通信自在となっている。これにより、遊技客が複数のデビット子機７０のうちいずれのデビット子機７０によるデビット決済をおこなった場合でも、同一のデビットカード（口座番号）である場合には、その口座番号の識別により該当する利用回数の更新をおこなうことができる。この利用回数は、利用回数管理テーブル８７の利用回数にその都度カウントとして更新されるものとなる。
【００７１】
図９は、図８の別例である利用料設定テーブル８６ｂの構成を示す図表である。図９に示すように、利用料設定テーブル８６ｂは、「プリペイドカードの購入金額範囲」（０〜１００００円）、遊技客によるデビットカードの「利用回数（１回目）、（２回目）（３回目）」、「利用料の減額幅」からなる３つのフィールドを有している。また、本例においても利用料の減額期間は一週間以内に限定して設定されている。そして、この例では、利用料設定テーブル８６ｂに利用回数の増加に応じて当該利用料を減額した利用料が設定されている。利用料の減額幅は、プリペイドカードの購入額に基づいて大きくなるように選定されている。具体的に説明すると、例えば、デビットカードを使用して遊技客が３０００円のプリペイドカードを購入した場合、デビット決済による利用料は１００円となり、この１００円の利用料はデビット決済が２回までは、その都度徴収がおこなわれるものとなる。そして、デビット決済が３回には利用料が減額となり２回までは、１００円であった利用料が８０円に減額されるものとなる。
【００７２】
図１０は、利用回数管理テーブル８７の構成を示す図表である。図１０に示すように利用回数管理テーブル８７は、遊技客の「口座番号」、デビット決済による「利用回数」、「利用開始日」、「利用料免除開始日」からなる４つのフィールドを有している。この利用回数管理テーブル８７に対するデータの入力および更新は、デビットカード挿入／返却口７４にデビットカードが挿入された時にその都度おこなわれる。
【００７３】
具体的には、口座番号「００００００１」の遊技客Ａは、２００２年９月１日に、最初にデビットカードを使用（１回）したことを示している。また、口座番号「００００００２」の遊技客Ｂは、２００２年９月５日に、最初にデビットカードを使用し、９月９日に利用料が免除になったことを示している。なお、本例の利用回数管理テーブル８７においは、口座番号、利用回数以外の遊技客の個人情報（暗証番号、住所、電話番号など）は、セキュリティの観点から格納しないものとする。
【００７４】
再び図６に戻り、デビットカード挿入／返却口７４は、デビットカードＤＣを受け入れてこれをデビットカード処理部７０１に取り込む一方、デビットカード処理部７０１において所望の処理を施した後のデビットカードＤＣを返却するための開口である。デビットカード処理部７０１は、取り込んだデビットカードＤＣに磁気記録されている情報を読み取り、その読み取り結果を後述のデビット制御部７０２に与える部分である。
【００７５】
レシート排出口７５は、印字部７０３において印字処理されたレシートＲＣを排出するための開口である。印字部７０３は、後述のデビット制御部７０２から与えられた情報をレシートＲＣとして印字出力するための部分である。表示部７６は、後述のデビット制御部７０２から与えられた入力ガイダンスや設定ガイダンス等の各種情報を表示するための部分であり、例えば液晶表示器によって構成してある。
【００７６】
外部操作入力部７７は、確認スイッチや取消スイッチ等の各種機能スイッチ、さらにはデビットカードＤＣの暗証番号を入力するためのテンキースイッチを備えて構成したものである。内部操作入力部７８には、係員モードスイッチなどを備えている。
【００７７】
これら外部操作入力部７７および内部操作入力部７８がＯＮ操作された場合には、それぞれ個別の検出信号が後述のデビット制御部７０２に与えられることになる。デビット制御部７０２は、デビットカード処理部７０１、外部操作入力部７７および内部操作入力部７８から与えられた情報に基づいて各部の制御を行う部分である。このデビット制御部７０２は、第１通信Ｉ／Ｆ部７０４および第２通信Ｉ／Ｆ部７０５を通じてデビット子機管理装置８０の通信Ｉ／Ｆ部８９との間で適宜情報交換することが可能である。
【００７８】
第１通信Ｉ／Ｆ部７０４が、カード発行機４０の第２通信Ｉ／Ｆ部４０９を介して発行制御部４０２に接続してある一方、第２通信Ｉ／Ｆ部７０５が、公衆回線網１０００を通じて後述するデビットカードシステムの情報処理センタ１００１に接続され、さらには図１に示すように、クリアリングセンタ１０１１を含むＣＡＦＩＳ（Ｃｒｅｄｉｔ　ａｎｄ　Ｆｉｎａｎｃｅ　Ｉｎｆｏｒｍａｔｉｏｎ　Ｓｙｓｔｅｍ）ネットワーク１０１０、並びに利用客の口座を有するデビットカード発行銀行１０２０、決済銀行１０３０および情報処理センタ１００１の口座を有する加盟店銀行１０４０に接続されている。
【００７９】
デビット制御部７０２は、係員モードスイッチ７８がＯＮされているか否かを判断する機能を有している。係員モードスイッチ７８がＯＮされている場合、つまり、遊技店の係員が解錠して扉体７２を開成し、係員モードスイッチ７８をＯＮ操作した場合には係員モードとなり、遊技店の係員による手数料設定などの係員モード処理を実行することが可能になる。これに対して、係員モードスイッチ７８がＯＮされていない場合には、取扱待機モードとなり、遊技客によるデビットカードＤＣの取扱処理が可能となる。
【００８０】
図１１は、本発明のデビット決済による遊技媒体貸出システムの基本処理工程を説明するフローチャートである。すなわち、本発明の遊技媒体貸出システムは、大別して（１）利用料算定工程（ステップＳ１１０）、（２）利用料徴収回数算定工程（ステップＳ１２０）、（３）利用回数算定工程（ステップＳ１３０）、（４）利用回数更新工程（ステップＳ１４０）、（５）利用料免除設定工程（ステップＳ１５０）の５つの処理工程により構成されている。先ず、これら（１）〜（５）の各処理工程について簡単に説明する。
【００８１】
（１）利用料算定工程
利用料算定工程は、遊技客の購入するプリペイドカードの購入金額に基づいて、遊技客に対して、デビットカードの使用の１回当たりに徴収する利用料を設定する工程である。具体的には、この利用料算定工程により算定された利用料が設定値として、利用料設定テーブル８６に格納される。
【００８２】
（２）利用料徴収回数算定工程
利用料徴収回数算定工程は、（１）の利用料算定工程と同様に遊技客の購入するプリペイドカードの購入金額に基づいて、遊技客に対して徴収する利用料の徴収回数を設定する工程である。この利用料徴収回数算定工程により算定された利用料の徴収回数も利用料設定テーブル８６に設定値として格納される。
【００８３】
（３）利用回数算定工程
利用回数算定工程は、同一の遊技店において遊技客が実際に使用したデビットカードの利用回数を算出する工程である。また、後述するようにデビット決済を複数回利用する遊技客に対して、このデビットカードによる利用回数が所定の利用回数以上となった場合に、利用料の徴収を免除する。
【００８４】
（４）利用回数更新工程
利用回数更新工程は、利用回数算出工程により算出された個人毎の利用回数のカウントアップをおこなう工程である。
【００８５】
（５）利用料免除設定工程
利用料免除設定工程は、上述した（１）〜（４）により算出された個人毎のデビットカードの利用回数に基づいて、免除を設定する工程である。
【００８６】
以下、本発明のデビット決済による遊技媒体貸出システムの全体処理手順について図１２（ａ）、（ｂ）を参照して説明する。図１２（ａ）は、カード発行機４０で実施されるカード加算処理の詳細を示すフローチャート、図１２（ｂ）は、デビット子機７０で実施されるデビットカード取扱処理の詳細を示すフローチャートである。
【００８７】
まず、カード発行機４０の発行制御部４０２は、図１２（ａ）に示すように、カード加算処理において会員カード処理部４０１もしくは一般カード処理部４０３からの検出信号に基づき、これらにプリペイドカードＭＣ、ＢＣが挿入されているか否かを判断する（ステップＳ４０１）。
【００８８】
プリペイドカードＭＣ、ＢＣが挿入されていない場合には、以降の処理を経ることなく手順をリターンさせる。これに対してプリペイドカードＭＣ、ＢＣが挿入されている場合には、当該プリペイドカードＭＣ、ＢＣが読み取り可能であるか否かを判断し（ステップＳ４０２）、読み取り不能であればこれを返却して手順をリターンさせる（ステップＳ４０３）。この場合、表示部４９を通じてプリペイドカードＭＣ、ＢＣが読み取り不能である旨の表示を行うことが好ましい。
【００８９】
プリペイドカードＭＣ、ＢＣが読み取り可能であれば、これに記録されている情報を読み取り、該情報に基づいてターミナルコントローラ１０に問い合わせを行い（ステップＳ４０４）、その後、問い合わせの回答受信待機状態となる（ステップＳ４０５）。ターミナルコントローラ１０に問い合わせる内容は、挿入されたプリペイドカードＭＣ、ＢＣに関連づけられた残度数等の情報である。
【００９０】
ターミナルコントローラ１０からプリペイドカードＭＣ、ＢＣの残度数を取得した発行制御部４０２は、次いで、表示部４９を通じて加算すべき入金要求の表示を行う（ステップＳ４０６）。この場合の表示部４９には、「現金による入金の場合はカード発行機の紙幣挿入／返却口に紙幣を挿入してください。」、「デビットカードによる入金の場合は隣に設置したデビット子機のデビットカード挿入／返却口にデビットカードを挿入してください。」という旨の表示を行うことが好ましい。
【００９１】
入金要求の表示を行った発行制御部４０２は、入金の有無を監視する。具体的には、デビット子機７０からデビットカード挿入通知を受信したか否かの判断（ステップＳ４０７）、および紙幣が挿入されたか否かの判断である（ステップＳ４０８）。
【００９２】
ここで、例えば入金の監視状態において利用客が紙幣を挿入すると、これが識別可能であるか否かを判断する（ステップＳ４０９）。紙幣の識別が不能であればこれを返却し（ステップＳ４１０）、手順をステップＳ４０６に移行させて再び入金の有無を監視する。この場合、表示部４９を通じて利用客に紙幣の識別が不能であった旨を表示することが好ましい。
【００９３】
これに対してステップＳ４０９において紙幣の識別が可能であった場合には、複数の選択スイッチ４７の中から入金額以下のものを有効化し（ステップＳ４１１）、その後、当該有効化した選択スイッチ４７がＯＮ操作されたか否かを監視する（ステップＳ４１２）。なお、選択スイッチ４７を有効化した場合には、当該有効化した選択スイッチ４７を発光させ、さらには表示部４９を通じて利用客に選択スイッチ４７のＯＮ操作を促す表示を行うことが好ましい。
【００９４】
ステップＳ４１２において選択スイッチ４７がＯＮ操作されると、その選択スイッチ４７の金額に対応する度数の加算要求を、入金種別が現金決済によるものである旨の情報、さらに先に読み取ったプリペイドカードＭＣ、ＢＣのカード識別情報と共にターミナルコントローラ１０に送信し（ステップＳ４１３）、その後、プリペイドカードＭＣ、ＢＣを利用客に返却して（ステップＳ４１４）、手順をリターンさせる。この結果、ターミナルコントローラ１０に格納された度数管理テーブルＤＴにおいて当該プリペイドカードＭＣ、ＢＣに関連づけられた現金決済による残度数が、選択スイッチ４７の金額に対応する分だけ加算更新されることになり、このプリペイドカードＭＣ、ＢＣをカード処理ユニット３０に挿入すれば、更新された残度数を上限としたパチンコ玉の貸し出しが可能になる。
【００９５】
一方、上述したステップＳ４０７およびステップＳ４０８の入金監視状態において、デビット子機７０のデビットカード挿入／返却口７４にデビットカードＤＣを挿入すると、デビット制御部７０２は、図１２（ｂ）に示すように、ステップＳ２０１において手順をステップＳ２０２に進め、デビットカード処理部７０１を通じてそのカード情報を読み取り、さらに表示部７６を通じて暗証番号の入力を要求する旨の表示を行い（ステップＳ２０３）、その後、暗証番号の入力待ちとなる（ステップＳ２０４）。
【００９６】
暗証番号の入力要求に応じて利用客がテンキースイッチからデビットカードＤＣの暗証番号を入力すると、デビット制御部７０２は、表示部７６を通じて入金額の入力を要求する旨の表示を行うとともに、カード発行機４０の発行制御部４０２に対してデビットカード挿入通知を送信し（ステップＳ２０５）、その後、発行制御部４０２からの選択情報の受信待ちとなる（ステップＳ２０６）。
【００９７】
ステップＳ４０７においてデビット制御部７０２からデビットカード挿入通知を受信した発行制御部４０２は、複数の選択スイッチ４７を有効化し（ステップＳ４１５）、その後、当該有効化した選択スイッチ４７がＯＮ操作されたか否かを監視する（ステップＳ４１６）。ここで、本例では、選択スイッチ４７の押下に基づいた利用料の抽出をおこなう。前述したように、この算定する利用料は、利用料設定テーブル８６に基いておこなわれる。具体的には、遊技客が５０００円のプリペイドカードを選択スイッチ４７の押下により購入した場合には、遊技客に対して徴収する利用料は１００円となり、この利用料を抽出し格納する。なお、選択スイッチ４７を有効化した場合には、先と同様に有効化した選択スイッチ４７を発光させ、さらには表示部４９を通じて利用客に選択スイッチ４７のＯＮ操作を促す表示を行うことが好ましい。
【００９８】
ステップＳ４１６において選択スイッチ４７がＯＮ操作されると、その選択スイッチ４７に対応した選択情報をデビット子機７０のデビット制御部７０２に送信する（ステップＳ４１７）。ここで、本例では、ステップＳ２０２により読み取ったデビットカードの口座番号からデビット決済を使用した利用回数の算出（カウント）をおこなう利用回数の算出をおこなう。この利用回数の算出は、利用回数算出手段８８によりおこなう。具体的には、利用回数管理テーブル８７を使用し、読み込んだ口座番号に対応する利用回数のフィールドにデビット決済時のカウントをおこない、以下、一致する口座番号の読み込みの際には、利用回数のカウントを更新する。
【００９９】
次いで、他のデビット子機７０により読み込まれたデータを集計し、このデータを利用回数管理テーブル８７に更新して格納する。この際、一致する口座番号の読み込みの際には、利用回数のカウントの更新処理をおこなう。その後、該デビット制御部７０２からの決済終了結果の受信待ちとなる（ステップＳ４１８）。
【０１００】
ステップＳ２０６において発行制御部４０２から選択情報を受信したデビット制御部７０２は、公衆回線網１０００を通じて情報処理センタ１００１にアクセスし、選択情報に応じた決済処理を行う（ステップＳ２０７）。
【０１０１】
ここで、デビット制御部７０２が、発行制御部４０２から選択情報を受信すると、利用客の選択した選択スイッチ４７に対応する金額の情報に基づいて、利用回数管理テーブル８７から利用料を算出するとともに、免除時の利用料を算出する。そして、デビット子機７０からデビット子機管理装置８０に対して、「口座番号」、「暗証番号」、「引落金額」の３つの情報が送信される。この場合の、引落金額は、遊技客がデビットカードにより購入したプリペイドカードの金額と免除が適用された利用料との総和である。以下、ステップＳ２０８により決済要求を情報処理センタ１００１に送出し、該情報処理センタ１００１からの決済処理終了通知を待つ（ステップＳ２０８）。
【０１０２】
決済要求を受信した情報処理センタ１００１は、決済要求に含まれる情報に基づいてＣＡＦＩＳネットワーク１０１０のクリアリングセンタ１０１１に決済処理を依頼する。依頼を受けたクリアリングセンタ１０１１は、デビットカード発行銀行（利用客の口座を有する銀行）、決済銀行１０３０および加盟店銀行１０４０（情報処理センタ１００１の口座を有する銀行）の間で決済処理を行う。
【０１０３】
即時実行が必要な処理としては、例えば、今回の決済要求に応じた金額をデビットカード発行銀行１０２０において利用客の口座から引き落とす処理がある。この即時実行処理が終了すると、クリアリングセンタ１０１１は、直ちに情報処理センタ１００１に対して処理が終了した旨の通知を行う。通知を受けた情報処理センタ１００１は、この通知に基づき、決済要求を送出したデビット子機７０に対して決済終了通知を送信する。
【０１０４】
上述したステップＳ２０８において情報処理センタ１００１から決済終了通知を受信したデビット子機７０は、当該決済の終了結果を発行制御部４０２に転送し（ステップＳ２０９）、その後、デビット決済に関わるレシートＲＣを利用客に発行し（ステップＳ２１０）、今回の手順を終了する。
【０１０５】
ステップＳ４１８においてデビット制御部７０２から決済終了通知を受信した発行制御部４０２は、当該デビット決済が正常に終了しているか否かを判断し（ステップＳ４１９）、正常であれば手順をステップＳ４１３に進める。すなわち、ステップＳ４１６で選択された選択スイッチ４７の金額に対応する度数の加算要求を、入金種別がデビット決済によるものである旨の情報、利用客が負担した手数料の金額、さらに先に読み取ったプリペイドカードＭＣ、ＢＣのカード識別情報と共にターミナルコントローラ１０に送信し、その後、プリペイドカードＭＣ、ＢＣを利用客に返却して（ステップＳ４１４）、手順をリターンさせる。
【０１０６】
次に、本実施の形態の遊技媒体貸出システムに適用するカード精算機５０について説明する。図１３は、カード精算機５０の外観を示す正面図、図１４は、カード精算機５０の内部構成を示すブロック図である。
【０１０７】
カード精算機５０は、筐体５１の前面に設けた扉体５２に会員カード挿入／返却口５３、一般カード挿入／返却口５４、紙幣払出口５５、硬貨払出口５６、確認スイッチ５７、取消スイッチ５８および表示部５９を備えている。
【０１０８】
会員カード挿入／返却口５３は、会員カードＭＣを受け入れてこれを会員カード処理部５０１に取り込む一方、会員カード処理部５０１において所望の処理を施した後の会員カードＭＣを返却するため開口である。会員カード処理部５０１は、取り込んだ会員カードＭＣに磁気記録されている会員識別情報を読み取り、その読み取り結果を後述の精算制御部５０２に与える部分である。
【０１０９】
この会員カード処理部５０１は、会員カードＭＣに対して所望の処理を施した後、後述する精算制御部５０２からの制御信号に基づいて当該会員カードＭＣを返送するように構成してある。一般カード挿入／返却口５４は、一般カードＢＣを受け入れてこれを一般カード処理部５０３に取り込む一方、一般カード処理部５０３において処理を中断した後の一般カードＢＣを返却するための開口である。
【０１１０】
一般カード処理部５０３は、取り込んだ一般カードＢＣに磁気記録されている情報を読み取り、その読み取り結果を後述の精算制御部５０２に与える部分である。この一般カード処理部５０３は、一般カードＢＣに対して所望の処理を施した後、後述する精算制御部５０２からの制御信号に基づいて当該一般カード回収箱５０４に回収する一方、一般カードＢＣに対して処理を中断した場合には精算制御部５０２からの制御信号に基づいて当該一般カード、ＢＣを返送するように構成してある。
【０１１１】
紙幣払出口５５は、紙幣処理部５０５によって払い出された紙幣を外部に排出するための開口である。紙幣処理部５０５は、紙幣を収納した収納部５０６を有するもので、後述する精算制御部５０２からの制御信号に応じた金額の紙幣を収納部５０６から払い出すための部分である。硬貨払出口５６は、硬貨処理部５０７によって払い出された硬貨を外部に排出するための開口である。
【０１１２】
硬貨処理部５０７は、硬貨を貯留したホッパ５０８を有するもので、精算制御部５０２からの制御信号に応じた金額の硬貨をホッパ５０８から払い出すための部分である。確認スイッチ５７および取消スイッチ５８は、それぞれ外部操作入力部として設けたもので、利用客によってＯＮ操作された場合に個別の検出信号を後述の精算制御部５０２に与える部分である。表示部５９は、後述の精算制御部５０２から与えられた入力ガイダンス等の情報を表示するための部分であり、例えば液晶表示器によって構成してある。
【０１１３】
精算制御部５０２は、予め与えられたプログラムや会員カード処理部５０１、一般カード処理部５０３、確認スイッチ５７および取消スイッチ５８から与えられた情報に基づいて各部の制御を行うための部分である。この精算制御部５０２は、通信Ｉ／Ｆ部５０９を通じて外部と適宜情報交換することが可能である。本実施の形態では、通信Ｉ／Ｆ部５０９が、島コントローラ６０を介してターミナルコントローラ１０に接続してある。
【０１１４】
図１５は、カード精算機５０の精算制御部５０２で実施される処理手順を示すフローチャートである。以下、このフローチャートに従って、本実施の形態のカード精算機５０について説明する。
【０１１５】
まず、カード精算機５０の精算制御部５０２は、会員カード処理部５０１もしくは一般カード処理部５０３からの検出信号に基づき、これらにプリペイドカードＭＣ、ＢＣが挿入されたか否かを判定し（ステップＳ６０１）、プリペイドカードＭＣ、ＢＣのいずれも挿入されていない場合には、以降の処理を経ることなく手順を終了する。これに対してプリペイドカードＭＣ、ＢＣが挿入されている場合には、当該プリペイドカードＭＣ、ＢＣが読み取り可能であるか否かを判断し（ステップＳ６０２）、読み取り不能であればこれを返却して手順を終了する（ステップＳ６０３）。
【０１１６】
一方、プリペイドカードＭＣ、ＢＣが読み取り可能であれば、記録されている情報を読み取り、該情報に基づいてターミナルコントローラ１０に問い合わせをおこない（ステップＳ６０４）、その後、問い合わせの回答受信待機状態となる。ターミナルコントローラ１０に問い合わせる内容は、挿入されたプリペイドカードＭＣ、ＢＣに関連づけられた残度数、使用度数および利用料などの情報である。
【０１１７】
次いで、ターミナルコントローラ１０からプリペイドカードＭＣ、ＢＣに関する情報を精算制御部５０２が取得したか否かの判定をおこない（ステップＳ６０５）、取得がある場合には（ステップＳ６０５肯定）、取得情報に基づいて精算処理をおこなう（ステップＳ６０６）。以下、精算したカードが一般カード、ＢＣの場合、これを一般カード回収箱５０４に回収し（ステップＳ６０７）、手順を終了する。なお、会員カードＭＣの場合には、会員カード挿入／返却口５３を通じて返却する。
【０１１８】
本実施の形態によれば、デビットカードの利用回数に応じて徴収する利用料の免除或いは減額をおこなう利用料設定装置を備えたので、同一の遊技店においてデビットカードによる利用回数が所定回数以上となった遊技客に対して徴収する利用料を免除することができることから、遊技客に対する利用料の低減（負担減）が可能となるうえ、遊技客の利便性および遊技意欲を向上させることができる。また、遊技店から遊技客に対してデビット決済時におけるサービスの提供を利用料の免除或いは減額という形態でおこなうことができるため、デビットカードの使用によるメリットを遊技客にアピールすることができる。また、デビットカードの取り扱いの増大により、プリペイドカードの購入金額を遊技店の収益に反映させることができる。
【０１１９】
【発明の効果】
以上説明したように、請求項１に係る発明によれば、遊技客による入金額に応じて有価価値の関連付けをおこなった記録媒体を発行する記録媒体処理装置と、デビット決済による取引に基づいた入金を受け付け可能な入金受付手段、デビット決済可能な識別媒体が挿入された場合に、当該識別媒体に関連付けられた情報を取得する識別媒体情報取得手段とを有する単体或いは複数のデビット決済処理装置と、有価価値となる紙幣／硬貨或は有価価値が関連付けられた前記記録媒体を受け入れて遊技媒体の貸し出しをおこなう遊技媒体貸出装置とを備えたデビット決済による遊技媒体貸出システムであって、前記単体のデビット決済処理装置或いは複数のデビット決済処理装置のうち少なくとも１つのデビット決済処理装置には、前記遊技客が購入する前記記録媒体に関連付けられた有価価値に応じて利用料を算定する機能を有するとともに、前記識別媒体の利用回数に応じて徴収する利用料の免除をおこなう利用料設定装置を備えたので、同一の遊技店においてデビットカードによるデビット決済の利用回数が所定回数以上となった遊技客に対して徴収する利用料を免除することができることから、遊技客の利便性および遊技意欲を向上することができるという効果を奏する。また、遊技店から遊技客に対してデビット決済時には利用料の免除というサービスを提供できるという効果を奏する。
【０１２０】
請求項２に係る発明によれば、請求項１に記載の発明において、前記デビット決済処理装置により処理されるデビット決済時の識別媒体に関する情報を統括するデビット決済処理管理装置をさらに備え、当該デビット決済処理管理装置に前記利用料設定装置を備えるので、遊技店においてデビットカードによるデビット決済を複数回利用する遊技客に対して徴収する利用料を免除することにより遊技客の利便性および遊技意欲を向上することができるという効果を奏する。また、複数のデビット子機で使用されたデビットカードの情報を統括することができるため、口座番号に基づいて効率良くデビット決済による遊技客の利用料を算出するとともに管理をおこなうことができるという効果を奏する。
【０１２１】
請求項３に係る発明によれば、請求項１または２に記載の発明において、前記利用料設定装置は、前記利用料の徴収回数を算定する機能と利用料の免除を開始する任意の回数を設定する機能とをさらに有するので、この免除を開始する任意の回数の設定により、遊技客によるデビット決済時の免除開始時期を効率よく設定できるという効果を奏する。
【０１２２】
請求項４に係る発明によれば、請求項３に記載の発明において、前記利用料の徴収回数をＮ回とした場合に、前記利用料の免除を開始する任意の回数はＮ＋１回目として算出されるので、利用料の免除を開始する任意の回数の設定を簡単に算出することができるという効果を奏する。
【０１２３】
請求項５に係る発明によれば、請求項１〜４のいずれか一つに記載の発明において前記利用料設定装置により設定される前記利用料の免除期間は、当該利用料の免除開始日を基準として所定の期間内に限定して設定されるので、利用料の免除をおこなう期間をある所定の期間と限定することができ、これにより、遊技客の口座番号などを長期間保存する必要がなくメモリ容量の節約が可能となりコスト削減を図ることができるという効果を奏する。
【０１２４】
請求項６に係る発明によれば、請求項５に記載の発明において前記所定の期間は、１日単位或は１週間単位として任意に設定されるので、利用料の免除期間を１日単位で制限することにより、遊技客の口座番号などを長期間保存する必要がなくメモリ容量の節約が可能となりコスト削減を図ることができるという効果を奏する。
【０１２５】
請求項７に係る発明によれば、請求項１または２に記載の発明において、前記利用料設定装置は、前記利用料の徴収回数を算定する機能と前記利用料の徴収回数及び利用回数の増加に応じて当該利用料を減額した利用料を設定する機能を有するので、遊技店でデビットカードによるデビット決済を複数回利用する遊技客に対してデビットカードの利用回数の増加に伴って利用料を減額することにより遊技客の負担を低減させることができるという効果を奏する。また、遊技店から遊技客に対してデビット決済時におけるサービスの提供を利用料の減額という形態でおこなうことができるという効果を奏する。
【０１２６】
請求項８に係る発明によれば、請求項７に記載の発明において、前記利用料設定装置により設定される前記利用料の減額期間は、当該利用料の減額開始日を基準として所定の期間内に限定して設定されるので、利用料の減額を適用する期間を所定の期間と限定することができ、これにより、記憶手段であるメモリの節約が可能となりコスト削減を図ることができるという効果を奏する。
【０１２７】
請求項９に係る発明によれば、請求項１〜８のいずれか一つに記載の発明において前記利用料設定装置は、前記識別媒体に予め関連付けられた識別番号に対応してデビット決済による利用回数が格納された利用回数管理テーブルと、前記デビット決済に伴う利用回数に基く利用料が設定された利用料設定テーブルと、前記識別媒体の利用回数をデビット決済時にカウントするとともに更新する利用回数算出手段とを備えたので、同一の遊技客に対するデビットカードの利用管理を正確におこなうことができるという効果を奏する。
【図面の簡単な説明】
【図１】本発明の実施の形態１であるデビット決済による遊技媒体貸出システムを適用したパチンコ遊技システムの概略構成を示すブロック図である。
【図２】ターミナルコントローラの内部構成を示すブロック図である。
【図３】本実施の形態で適用するパチンコ機およびカード処理ユニットの外観を示した正面図である。
【図４】カード処理ユニットの内部構成を示すブロック図である。
【図５】本実施の形態で適用するカード発行機およびデビット子機の外観を示した正面図である。
【図６】カード発行機およびデビット子機の内部構成を示すブロック図である。
【図７】利用料設定装置の構成を示すブロック図である。
【図８】利用料設定テーブルの構成を示す図表である（第１例）。
【図９】利用料設定テーブルの構成を示す図表である（第２例）。
【図１０】利用回数管理テーブルの構成を示す図表である。
【図１１】デビット決済による遊技媒体貸出システムの基本処理工程を示すフローチャートである。
【図１２】デビット決済による遊技媒体貸出システムの全体処理手順を示すフローチャートである。
【図１３】カード精算機の外観を示した正面図である。
【図１４】カード精算機の内部構成を示すブロック図である。
【図１５】カード精算機の精算制御部で実施される処理手順を示すフローチャートである。
【符号の説明】
１０　ターミナルコントローラ
１１　ＲＡＭ
１２　通信Ｉ／Ｆ部
２０　パチンコ機
２１　遊技領域
２２　上皿
２３　度数表示部
２４　貸出スイッチ
２５　返却スイッチ
２６　玉投出手段
３０　カード処理ユニット
３１ａ　カードランプ
３１ｂ　現金ランプ
３２　紙幣投入口
３３　硬貨投入口
３４　返却レバー
３５　種別ランプ
３６　金額表示部
３７ａ　金額設定スイッチ
３７ｂ　端数設定スイッチ
３８　硬貨返却口
３９　カード挿入口
４０　カード発行機
４１　筐体
４２　扉体
４２ａ　ハンディ収容凹部
４２ｂ　補助扉体
４２ｃ　補助錠手段
４３　主錠手段
４４　会員カード挿入／返却口
４５　一般カード発行口
４６　紙幣挿入／返却口
４７　選択スイッチ
４８　取消スイッチ
４９　表示部
５０　カード精算機
５１　筐体
５２　扉体
５３　会員カード挿入／返却口
５４　一般カード挿入／返却口
５５　紙幣払出口
５６　硬貨払出口
５７　確認スイッチ
５８　取消スイッチ
５９　表示部
６０　島コントローラ
７０　デビット子機
７１　筐体
７２　扉体
７３　主錠手段
７４　デビットカード挿入／返却口
７５　レシート排出口
７６　表示部
７７　外部操作入力部
７８　内部操作入力部
８０　デビット子機管理装置
８５　利用料設定装置
８６ａ、ｂ　利用料設定テーブル
８７　利用回数管理テーブル
８８　利用回数算出手段
８９　通信Ｉ／Ｆ部
３００　貸出制御部
３０１　ＢＶユニット部
３０２　紙幣搬送路
３０３　コインセレクタ部
３０４　硬貨搬送路
３０５　プリペイドカード処理部
３０６　メモリ
４０１　会員カード処理部
４０２　発行制御部
４０３　一般カード処理部
４０４　紙幣処理部
４０５　紙幣回収箱
４０６　施錠検出センサ
４０７　ハンディ端末入力機
４０８　第１通信Ｉ／Ｆ部
４０９　第２通信Ｉ／Ｆ部
５０１　会員カード処理部
５０２　精算制御部
５０３　一般カード処理部
５０４　一般カード回収箱
５０５　紙幣処理部
５０６　収納部
５０７　硬貨処理部
５０８　ホッパ
５０９　通信Ｉ／Ｆ部
７０１　デビットカード処理部
７０２　デビット制御部
７０３　印字部
７０４　第１通信Ｉ／Ｆ部
７０５　第２通信Ｉ／Ｆ部
１０００　公衆回線網
１００１　情報処理センタ
１０１０　ＣＡＦＩＳネットワーク
１０１１　クリアリングセンタ
１０２０　デビットカード発行銀行
１０３０　決済銀行
１０４０　加盟店銀行
１０５０　○○銀行
１０６０　カード会社センタ
１０７０　△△銀行
ＢＣ　一般カード
ＤＴ　度数管理テーブル
ＭＣ　会員カード
【図１】
2004121317.tif 000003
【図２】
2004121317.tif 000004
【図３】
2004121317.tif 000005
【図４】
2004121317.tif 000006
【図５】
2004121317.tif 000007
【図６】
2004121317.tif 000008
【図７】
2004121317.tif 000009
【図８】
2004121317.tif 000010
【図９】
2004121317.tif 000011
【図１０】
2004121317.tif 000012
【図１１】
2004121317.tif 000013
【図１２】
2004121317.tif 000014
【図１３】
2004121317.tif 000015
【図１４】
2004121317.tif 000016
【図１５】
2004121317.tif 000017
【手続補正書】
【提出日】平成14年10月16日(2002.10.16)
【手続補正１】
【補正対象書類名】明細書
【補正対象項目名】０００７
【補正方法】変更
【補正の内容】
【０００７】
このため、遊技店においても従来は遊技媒体の貸し出しを現金によりおこなっていたが、デビットカードによるデビット決済の普及により、このデビットカードの利用による即時決済が多用されている。具体的には、このデビット決済による遊技媒体貸出システムにおいては、デビットカードを使用して遊技客の口座から有価価値が関連付けられた記録媒体（プリペイドカード）と相当額（同額）の引き落としをおこない、この記録媒体を利用して遊技媒体（パチンコ玉、メダル）を借り受けて遊技をおこなうものである。このようなデビット決済に関する従来例としては、デビット決済時に手数料の変更をおこなうなどの制御をする技術（特願２００１−１９５４２１号）等がある。


【手続補正２】
【補正対象書類名】明細書
【補正対象項目名】０００８
【補正方法】削除
【補正の内容】